(57)【要約】  【課題】  画像と共にニュース等の文字情報を出力する際に、出力する画像に係る広範な内容の文字情報を出力することができる情報出力方法、情報出力システム及び画像出力装置を提供する。  【解決手段】  ＲＳＳサーバ装置（記憶装置）２は、ＲＳＳのフォーマットで記述されたウェブページのメタデータを通信ネットワークＮに接続されたウェブサーバ装置３，３，…から取得し、画像出力装置１は、ＲＳＳサーバ装置２からメタデータを受信して記憶部１１０で記憶する。画像出力装置１は、デジタル放送の放送信号に含まれる番組の属性情報を取得し、タイトル又は要約等のウェブページの内容を表す語句を含んだメタデータから属性情報に関係する語句を抽出し、放送信号に基づいた番組の画像と共に抽出した語句を文字で出力する。【選択図】        図１
2007028438.tif 000002
【特許請求の範囲】
【請求項１】
放送信号を受信して該放送信号に基づいた画像を出力する画像出力装置にて、外部から取得した情報を文字で出力する方法において、
前記画像出力装置は、
ウェブページの内容を表した語句を含む前記ウェブページのメタデータを通信ネットワーク経由で取得しておき、
受信した放送信号が表す番組の内容に係る属性情報を取得し、
取得してある前記メタデータから、取得した属性情報に関係する前記語句を抽出し、
前記放送信号に基づいた画像と共に、抽出した前記語句の情報を文字で出力すること
を特徴とする情報出力方法。
【請求項２】
通信ネットワークに接続されており、ウェブページの内容を表した語句を含む前記ウェブページのメタデータを通信ネットワーク経由で外部から取得して記憶する記憶装置と、放送信号を受信して該放送信号に基づいた画像を出力する画像出力装置とを含む情報出力システムであって、
前記画像出力装置は、
前記記憶装置が記憶する前記メタデータを前記記憶装置から取り込む手段と、
受信した放送信号が表す番組の内容に係る属性情報を取得する手段と、
該手段が取得した属性情報に関係する前記語句を、前記記憶装置から取り込んだ前記メタデータから抽出する抽出手段と、
前記放送信号に基づいた画像と共に、前記抽出手段が抽出した前記語句の情報を文字で出力する出力手段と
を備えることを特徴とする情報出力システム。
【請求項３】
放送信号を受信し、受信した放送信号に基づいた画像を出力する画像出力装置において、
ウェブページの内容を表す語句を含む前記ウェブページのメタデータを外部の通信ネットワーク経由で外部から取得する取得手段と、
受信した放送信号が表す番組の内容に係る属性情報を取得する手段と、
該手段が取得した属性情報に関係する前記語句を、前記取得手段が取得した前記メタデータから抽出する抽出手段と、
前記放送信号に基づいた画像と共に、前記抽出手段が抽出した前記語句の情報を文字で出力する出力手段と
を備えることを特徴とする画像出力装置。
【請求項４】
前記メタデータは、ＲＳＳ（Rich Site Summary, Really Simple Syndicates 又は Resource Description Framework Site Summary）のフォーマットで記述されたデータであることを特徴とする請求項３に記載の画像出力装置。
【請求項５】
前記属性情報は、番組のジャンルを示すジャンル情報を含んでおり、
前記抽出手段は、
前記メタデータの内、属性情報が含む前記ジャンル情報に対応する情報を含むメタデータを選択する手段と、
該手段が選択したメタデータが含む前記語句を抽出する手段と
を有することを特徴とする請求項３又は４に記載の画像出力装置。
【請求項６】
前記属性情報は、番組の内容に係るキーワードを含んでおり、
前記抽出手段は、
前記メタデータから、属性情報が含む前記キーワードを含んだ前記語句を抽出する手段を有すること
を特徴とする請求項３乃至５のいずれか一つに記載の画像出力装置。
【請求項７】
前記出力手段は、前記語句が含む前記キーワードを、前記語句中の他の部分よりも強調した文字で出力する手段を有することを特徴とする請求項６に記載の画像出力装置。
【発明の詳細な説明】
【技術分野】
【０００１】
本発明は、テレビジョン受像機等の画像表示装置を用いて画像と共にニュース等の文字情報を出力する情報出力方法、情報出力システム及び画像出力装置に関する。
【背景技術】
【０００２】
テレビジョン受像機等の画像表示装置は、放送された画像等の画像を表示すると共に、画面内の画像を表示する部分とは別の部分に又は画像に重畳して文字情報を表示する機能を有するものが多い。例えば、家庭用のテレビジョン受像機には、臨時ニュースが発表された場合に表示中の画像に加えて臨時ニュースの内容を示す文字情報を表示するものがある。また例えば、旅館又は病院等の施設内に設置された画像表示装置には、施設内の案内を示す文字情報を表示するものがある。また、画像信号又は音声信号をデジタル化した上で放送する従来のデジタル放送では、放送用データに画像信号又は音声信号以外のデータを含ませておき、放送用データに含まれるデータに基づいて電子番組表等の文字情報を画像表示装置が表示するデータ放送が実用化されている。またデータ放送では、放送中の番組の番組名、出演者又は番組内容のカテゴリ等、放送画像の内容に係る属性情報が放送用データに含まれていることがある。画像及び文字情報を含む各種の情報を画像表示装置で表示する技術の例は特許文献１に開示されており、デジタル放送の技術の例は特許文献２に開示されている。
【０００３】
また、放送以外の方法でニュース等の文字情報を取得する方法として、インターネット等の通信ネットワークに接続されたパーソナルコンピュータ（ＰＣ）又は携帯電話機等の情報機器を用い、通信ネットワークを介して文字情報を取得する方法がある。これらの情報機器は、通信ネットワークを介して種々のウェブサイトにアクセスし、各ウェブサイトで公開されている情報を主に文字情報からなるウェブページとして取得して出力することができる。このように通信ネットワークを介して情報を取得する技術の一つとして、ＲＳＳ（Rich Site Summary, Really Simple Syndicates 又は Resource Description Framework Site Summary）を利用した技術が知られている。ＲＳＳとは、ウェブページのメタデータをデータ記述言語で記述するフォーマットである。ＲＳＳを用いた技術では、ウェブサイトでウェブページのタイトル又は要約等のメタデータをＲＳＳフォーマットで記述しておき、情報機器はウェブサイトからＲＳＳのメタデータを取得することでウェブページのタイトル又は要約等の情報を得ることができる。ＲＳＳを利用した技術の例は特許文献３に開示されている。
【特許文献１】特開２００５−４５６０５号公報
【特許文献２】特開２０００−２５１４０２号公報
【特許文献３】特開２００４−３３４８６６号公報
【発明の開示】
【発明が解決しようとする課題】
【０００４】
ところで、画像表示装置でニュース等の文字情報を表示する際に、表示中の画像と文字情報の内容とが無関係である場合は、視聴者が画像と文字情報とを個別に認識することが困難となることがあり、逆に表示中の画像と文字情報の内容とが関連している場合は、視聴者が画像と文字情報とを認識することがより容易になるということがある。しかし、画像に加えて文字情報を表示する従来の画像表示装置では、表示される文字情報の内容は基本的に表示中の画像とは無関係の内容であるので、視聴者が文字情報の内容を認識することが困難となることがある。また画像表示装置で文字情報を表示する従来の技術では、データ放送を利用する場合も含めて、表示される文字情報の内容は放送局等が放送した内容に限られるので、表示中の画像に係る広範な内容の文字情報を表示することができないという問題がある。
【０００５】
本発明は、斯かる事情に鑑みてなされたものであって、その目的とするところは、ＲＳＳの技術を利用することによって、視聴者が認識しやすいように、出力する画像に係る広範な内容の文字情報を出力することができる情報出力方法、情報出力システム及び画像出力装置を提供することにある。
【課題を解決するための手段】
【０００６】
本発明に係る情報出力方法は、放送信号を受信して該放送信号に基づいた画像を出力する画像出力装置にて、外部から取得した情報を文字で出力する方法において、前記画像出力装置は、ウェブページの内容を表した語句を含む前記ウェブページのメタデータを通信ネットワーク経由で取得しておき、受信した放送信号が表す番組の内容に係る属性情報を取得し、取得してある前記メタデータから、取得した属性情報に関係する前記語句を抽出し、前記放送信号に基づいた画像と共に、抽出した前記語句の情報を文字で出力することを特徴とする。
【０００７】
本発明に係る情報出力システムは、通信ネットワークに接続されており、ウェブページの内容を表した語句を含む前記ウェブページのメタデータを通信ネットワーク経由で外部から取得して記憶する記憶装置と、放送信号を受信して該放送信号に基づいた画像を出力する画像出力装置とを含む情報出力システムであって、前記画像出力装置は、前記記憶装置が記憶する前記メタデータを前記記憶装置から取り込む手段と、受信した放送信号が表す番組の内容に係る属性情報を取得する手段と、該手段が取得した属性情報に関係する前記語句を、前記記憶装置から取り込んだ前記メタデータから抽出する抽出手段と、前記放送信号に基づいた画像と共に、前記抽出手段が抽出した前記語句の情報を文字で出力する出力手段とを備えることを特徴とする。
【０００８】
本発明に係る画像出力装置は、放送信号を受信し、受信した放送信号に基づいた画像を出力する画像出力装置において、ウェブページの内容を表す語句を含む前記ウェブページのメタデータを外部の通信ネットワーク経由で外部から取得する取得手段と、受信した放送信号が表す番組の内容に係る属性情報を取得する手段と、該手段が取得した属性情報に関係する前記語句を、前記取得手段が取得した前記メタデータから抽出する抽出手段と、前記放送信号に基づいた画像と共に、前記抽出手段が抽出した前記語句の情報を文字で出力する出力手段とを備えることを特徴とする。
【０００９】
本発明においては、画像出力装置は、通信ネットワーク上で公開されているウェブページのメタデータを通信ネットワーク経由で取得しておき、タイトル又は要約等のウェブページの内容を表す語句を含んだメタデータから、放送された番組の属性情報に関係する語句を抽出し、放送信号に基づいた番組の画像と共に語句の情報を文字で出力する。
【００１０】
本発明に係る画像出力装置は、前記メタデータは、ＲＳＳのフォーマットで記述されたデータであることを特徴とする。
【００１１】
また本発明においては、通信ネットワークに接続されたウェブサーバ装置が記憶している、ＲＳＳのフォーマットで記述されたウェブページのメタデータを取得する。
【００１２】
本発明に係る画像出力装置は、前記属性情報は、番組のジャンルを示すジャンル情報を含んでおり、前記抽出手段は、前記メタデータの内、属性情報が含む前記ジャンル情報に対応する情報を含むメタデータを選択する手段と、該手段が選択したメタデータが含む前記語句を抽出する手段とを有することを特徴とする。
【００１３】
また本発明においては、属性情報は放送される番組のジャンルを示すジャンル情報を含んでおり、画像出力装置は、ジャンル情報に対応する情報を含むメタデータから語句を抽出することによって、属性情報に関係する語句を抽出する。
【００１４】
本発明に係る画像出力装置は、前記属性情報は、番組の内容に係るキーワードを含んでおり、前記抽出手段は、前記メタデータから、属性情報が含む前記キーワードを含んだ前記語句を抽出する手段を有することを特徴とする。
【００１５】
また本発明においては、属性情報は番組の内容に係るキーワードを含んでおり、画像出力装置は、属性情報が含むキーワードを含んだ語句をメタデータから抽出することによって、属性情報に関係する語句を抽出する。
【００１６】
本発明に係る画像出力装置は、前記出力手段は、前記語句が含む前記キーワードを、前記語句中の他の部分よりも強調した文字で出力する手段を有することを特徴とする。
【００１７】
更に本発明においては、キーワードを含む語句を出力する際に、キーワードの文字を強調して出力する。
【発明の効果】
【００１８】
本発明にあっては、画像と共に放送された番組の属性情報に関係する語句の情報を文字で出力することにより、番組の属性情報に関係する語句を抽出して出力するので、放送中の番組の画像に関係した内容の文字情報を出力することができる。従って、画像出力装置１が出力する画像及び文字情報を視聴する視聴者は、画像と文字情報とが互いに関連しているので、文字情報の内容を容易に認識することが可能となる。
【００１９】
また本発明にあっては、画像と共に出力する語句の情報は、通信ネットワーク経由で取得したＲＳＳのフォーマットで記述されたウェブページのメタデータから抽出するので、放送局等が放送した内容に限られない広範な内容の文字情報を出力することが可能となる。
【００２０】
また本発明にあっては、番組のジャンルを示すジャンル情報に対応するメタデータから語句を抽出して文字で出力することにより、放送中の番組の画像に関係した内容の文字情報を出力することが可能となる。
【００２１】
また本発明にあっては、番組の内容に係るキーワードを含む語句の情報を出力することにより、放送中の番組の内容に即した内容の文字情報を出力することが可能となる。
【００２２】
更に本発明にあっては、キーワードを含む語句の情報を出力する際に、キーワードの文字を強調することにより、視聴者がより認識しやすいように文字情報を出力することが可能となる等、本発明は優れた効果を奏する。
【発明を実施するための最良の形態】
【００２３】
以下本発明をその実施の形態を示す図面に基づき具体的に説明する。
図１は、本発明の情報出力システムの構成、及び本発明の画像出力装置の内部構成を示すブロック図である。画像出力装置１は、デジタル放送の放送信号を受信して放送信号に基づいた画像を表示するテレビジョン受像機である。画像出力装置１は、インターネット等の通信ネットワークＮに接続される構成となっており、通信ネットワークＮには、複数のウェブサーバ装置３，３，…が接続されている。各ウェブサーバ装置３は、通信ネットワークＮを通じてニュース用のウェブページを公開しており、ウェブページを公開するために必要なデータを記憶している。またウェブサーバ装置３は、公開するウェブページのタイトル、アドレス、記事の見出し、記事の要約、及び更新日時等のメタデータをＲＳＳのフォーマットで記述したメタデータファイルを記憶している構成となっている。
【００２４】
更に通信ネットワークＮには、本発明に係る記憶装置であるＲＳＳサーバ装置２が接続されており、画像処理装置１及びＲＳＳサーバ装置２で本発明の情報出力システムを構成する。ＲＳＳサーバ装置２は、定期的に予め設定されたウェブサーバ装置３，３，…に通信ネットワークＮを介してアクセスし、アクセスしたウェブサーバ装置３からＲＳＳのフォーマットで記述されたウェブページのメタデータを読み出し、読み出したメタデータを記憶する構成となっている。
【００２５】
画像出力装置１は、衛星放送、地上波放送又は有線放送によるデジタル放送の放送信号を受信し、ＭＰＥＧ２（Moving Picture Experts Group 2）ＴＳ（Transport Stream）形式のデータへ復調する放送受信部１０１を備えている。放送受信部１０１には、放送受信部１０１が復調したデータに含まれるＴＳパケットを選別するＴＳデコーダ１０２が接続されている。またＴＳデコーダ１０２には、音声信号又は画像信号を圧縮したＴＳパケットをデコードするＡＶデコーダ１０３が接続されている。ＡＶデコーダ１０３には、スピーカ１０５に接続された音声処理部１０４と、ＣＲＴディスプレイ又は液晶ディスプレイ等のディスプレイ１０７に接続された画像処理部１０６とが接続されている。音声処理部１０４は、ＡＶデコーダ１０３がデコードした音声信号に基づいた音声をスピーカ１０５に発生させる処理を行い、画像処理部１０６はＡＶデコーダ１０３がデコードした画像信号に基づいた画像をディスプレイ１０７に表示させる構成となっている。
【００２６】
また画像出力装置１は、ネットワーク通信部１１２を備えている。ネットワーク通信部１１２には、ＲＳＳリーダ１１１が接続されており、ＲＳＳリーダ１１１は、ネットワーク通信部１１２に、予め設定されたＲＳＳサーバ装置２にアクセスさせてＲＳＳサーバ装置２が記憶している各ウェブページのメタデータをＲＳＳサーバ装置２から受信させる処理を行う。ＲＳＳリーダ１１１には、ハードディスク又は半導体メモリ等の記憶部１１０が接続されている。記憶部１１０は、ネットワーク通信部１１２がＲＳＳサーバ装置２から受信したメタデータを記憶する構成となっている。記憶部１１０が記憶するウェブページのメタデータには、見出し又は要約等のウェブページの内容を自然言語で記述した語句を含んでいる。
【００２７】
記憶部１１０及びＴＳデコーダ１０２には、マイクロコンピュータ等を用いたデータ処理部１０８が接続されている。データ処理部１０８は、ＴＳデコーダ１０２が選別したＴＳパケットに含まれる放送中の番組の内容に係る属性情報を読み出し、記憶部１１０が記憶しているウェブページのメタデータから、読み出した属性情報に関係する語句を抽出する処理を行う構成となっている。更にデータ処理部１０８には、現在時刻等の情報を文字で示すＯＳＤ（On Screen Display）画像を作成するＯＳＤ処理部１０９が接続され、ＯＳＤ処理部１０９は画像処理部１０６に接続されている。ＯＳＤ処理部１０９は、データ処理部１０８が抽出した語句の文字を画像処理部１０６がディスプレイ１０７に表示させる画像に重畳させる処理を行う構成となっている。
【００２８】
次に、以上の構成でなる本発明の情報出力システムが実行する処理を説明する。ニュース用のウェブページを公開するウェブサーバ装置３は、ウェブページの内容を更新する都度、ウェブページの内容に応じたメタデータをＲＳＳのフォーマットで記述したメタデータファイルを記憶する。ＲＳＳサーバ装置２は、特定のウェブサーバ装置３，３，…のアドレスを設定してあり、設定に従って特定のウェブサーバ装置３，３，…へ通信ネットワークＮを介して定期的にアクセスし、アクセスしたウェブサーバ装置３，３，…からメタデータを取得することを試みる。ＲＳＳサーバ装置２は、ウェブサーバ装置３へアクセスする都度メタデータを取得する処理を行ってもよく、メタデータが更新されている場合にメタデータを取得する処理を行ってもよい。またＲＳＳサーバ装置２は、ウェブサーバ装置３が記憶しているメタデータファイルを読み込むことでメタデータを取得する処理を行ってもよく、メタデータファイルの一部を読み込むことでメタデータを取得する処理を行ってもよい。
【００２９】
図２は、ＲＳＳサーバ装置２が取得するメタデータの例を示す概念図である。図２（ａ）は、ウェブページの内容を表す語句としてウェブページ内のタイトル及び概要を示す語句を含む例を示す。ＲＳＳで規定されたタグ＜ｉｔｅｍ＞と＜／ｉｔｅｍ＞とで挟まれた記述が、ウェブページに含まれる一の記事に対応するメタデータである。タグ＜ｔｉｔｌｅ＞と＜／ｔｉｔｌｅ＞とで挟まれた語句の記述が記事のタイトルを示す。タグ＜ｌｉｎｋ＞と＜／ｌｉｎｋ＞とで挟まれた記述がウェブページの記事のアドレスを示す。更にタグ＜ｄｅｓｃｒｉｐｔｉｏｎ＞と＜／ｄｅｓｃｒｉｐｔｉｏｎ＞とで挟まれた語句の記述が記事の要約を示す。図２（ａ）の例では、ウェブページの内容を表す語句として、記事のタイトル及び要約が該当する。図２（ｂ）は、メタデータから記事の要約が省略された例を示す。この場合のメタデータは、ウェブページに含まれる記事のタイトル及びアドレスからなり、記事のタイトルがウェブページの内容を表す語句に該当する。
【００３０】
画像出力装置１のＲＳＳリーダ１１１は、ＲＳＳサーバ装置２のアドレスを設定しており、ネットワーク通信部１１２に、設定に従ってＲＳＳサーバ装置２へ通信ネットワークＮを介して定期的にアクセスさせ、ＲＳＳサーバ装置２が記憶するメタデータを読み出す処理を行う。このようにしてＲＳＳリーダ１１１及びネットワーク通信部１１２は本発明に係る取得手段として機能する。ＲＳＳリーダ１１１は、ネットワーク通信部１１２を用いてＲＳＳサーバ装置２から読み出したメタデータを記憶部１１０に記憶させる。このようにして、画像出力装置１の記憶部１１０は、通信ネットワークＮ上で公開されている各ウェブページの最新のメタデータを記憶する。
【００３１】
次に、画像出力装置１が画像を出力する際に行う処理を説明する。図３は、本発明の画像出力装置１が放送信号に基づいた画像を出力する際に行う処理の手順を示すフローチャートである。放送受信部１０１は、デジタル放送の放送信号を受信し（Ｓ１）、放送信号を復調する。ＴＳデコーダ１０２は、放送受信部１０１が復調したデータに含まれるＴＳパケットから、画像信号又は音声信号が含まれるＴＳパケットと放送中の番組の内容に係る属性情報が含まれるＴＳパケットとを選別し、画像信号又は音声信号が含まれるＴＳパケットをＡＶデコーダ１０３へ入力し、属性情報が含まれるＴＳパケットをデータ処理部１０８へ入力する。ＡＶデコーダ１０３は、ＴＳデコーダ１０２から入力されたＴＳパケットを画像信号又は音声信号へデコードし、音声信号を音声処理部１０４へ入力し、画像信号を画像処理部１０６へ入力する。音声処理部１０４は音声信号に基づいた音声をスピーカ１０５に出力させる処理を行い、画像処理部１０６は画像信号に基づいた画像をディスプレイ１０７に表示させる処理を行う。
【００３２】
画像信号又は音声信号の処理とは平行して、データ処理部１０８は、ＴＳデコーダ１０２から入力されたＴＳパケットに含まれる属性情報をＴＳパケットから分離する（Ｓ２）。データ処理部１０８が分離した属性情報には、番組のジャンルを示すジャンル情報が含まれており、また番組が取り上げた対象又は出演者等を示す番組の内容に係るキーワードが含まれている。データ処理部１０８は、次に、記憶部１１０が記憶しているメタデータの中に、分離した属性情報に含まれるジャンル情報に対応する情報が含まれているメタデータがあるか否かを判定する（Ｓ３）。例えば、放送中の番組が経済番組である場合は、経済のジャンルを示すジャンル情報が属性情報に含まれている。図２に示したメタデータには、ウェブページの記事のアドレス内に経済のジャンル情報に対応する／ｋｅｉｚａｉ／の文字が含まれているので、このメタデータはジャンル情報に対応する情報が含まれているメタデータである。
【００３３】
ステップＳ３でジャンル情報に対応する情報が含まれているメタデータがある場合は（Ｓ３：ＹＥＳ）、データ処理部１０８は、ジャンル情報に対応する情報が含まれているメタデータの中に、属性情報に含まれているキーワードを語句の中に含んでいるメタデータがあるか否かを判定する（Ｓ４）。キーワードを語句の中に含んでいるメタデータがある場合は（Ｓ４：ＹＥＳ）、データ処理部１０８は、ジャンル情報に対応する情報が含まれているメタデータからキーワードを含む語句を抽出する（Ｓ５）。例えば、キーワードが「鉄道」である場合は、図２に示したメタデータは「鉄道」が含まれてる語句を含んでいるので、データ処理部１０８はこの語句を抽出する。なお複数のキーワードが存在する場合は、データ処理部１０８は少なくとも一つのキーワードを含む語句を抽出する。また図２（ａ）に示す如きタイトル及び要約のように一のメタデータに複数の語句が含まれている場合は、キーワードを含む語句のみを抽出する処理を行ってもよく、該当するメタデータに含まれる複数の語句を抽出する処理を行ってもよい。またキーワードが含まれる語句を含むメタデータが複数存在する場合は、更新日時が最も新しいメタデータから語句を抽出する処理を行ってもよく、複数のメタデータから複数の語句を抽出する処理を行ってもよい。このようにして、データ処理部１０８は本発明に係る抽出手段として機能する。
【００３４】
データ処理部１０８は、次に、抽出した語句のデータをＯＳＤ処理部１０９へ入力し、ＯＳＤ処理部１０９は、キーワードを強調しながら、画像処理部１０６が画像信号に基づいてディスプレイ１０７に表示させるべき画像に語句の文字を重畳させる処理を行う（Ｓ６）。このときＯＳＤ処理部１０９は、キーワードの文字のフォントを他の文字よりも強調したフォントにするか、キーワードの文字色を他の文字よりも目立つ色にするか、又はキーワードの部分の背景色を他の文字とは異ならせる等の方法により、キーワードを強調する処理を行う。またデータ処理部１０８が複数の語句を抽出している場合は、ＯＳＤ処理部１０９は、データ処理部１０８が抽出した複数の語句の文字を画像に順次重畳させる処理を行う。
【００３５】
ステップＳ４で、ジャンル情報に対応する情報が含まれているメタデータの中にキーワードを語句の中に含んでいるメタデータがない場合は（Ｓ４：ＮＯ）、データ処理部１０８は、ジャンル情報に対応する情報が含まれているメタデータに含まれている語句を抽出する（Ｓ７）。データ処理部１０８は、次に、抽出した語句のデータをＯＳＤ処理部１０９へ入力し、ＯＳＤ処理部１０９は、画像処理部１０６が画像信号に基づいてディスプレイ１０７に表示させるべき画像に語句の文字を重畳させる処理を行う（Ｓ８）。
【００３６】
ステップＳ３でジャンル情報に対応する情報が含まれているメタデータがない場合は（Ｓ３：ＮＯ）、データ処理部１０８は、記憶部１１０で記憶しているメタデータの中に、属性情報に含まれているキーワードを語句の中に含んでいるメタデータがあるか否かを判定する（Ｓ９）。キーワードを語句の中に含んでいるメタデータがない場合は（Ｓ９：ＮＯ）、データ処理部１０８は処理を終了する。キーワードを語句の中に含んでいるメタデータがある場合は（Ｓ９：ＹＥＳ）、データ処理部１０８は、記憶部１１０が記憶するメタデータからキーワードを含む語句を抽出し（Ｓ１０）、処理をステップＳ６へ進める。
【００３７】
ステップＳ６又はステップＳ８が終了した後は、画像処理部１０６は、語句の文字が重畳された画像をディスプレイ１０７に表示させることによって、画像信号に基づいた画像と共に、画像に関係する内容の語句の情報を文字で出力する（Ｓ１１）。ステップＳ１１が終了した後は、画像出力装置１は、次の放送信号を受信して処理をステップＳ１から繰り返す。
【００３８】
図４は、画像出力装置１が画像と共に出力した文字情報の例を示す模式図である。経済関係のニュース番組等の、ジャンル情報が「経済」である番組が放送されている場合、ジャンル情報に対応する情報が含まれている図２に示す如きメタデータに含まれる語句が、図４（ａ）に示す如く番組の画像に重畳されて出力される。またこの番組のキーワードが「鉄道」である場合は、図４（ａ）に示す如く「鉄道」のキーワードが強調されて出力される。なお、以上の例では画像に語句の文字を重畳させて出力する方法を示したが、ディスプレイ１０７の画面上で画像と文字とを分けて出力してもよい。図４（ｂ）は画像と文字とを分けて出力した例であり、画面上の画像が表示されるべき部分に番組の画像が表示され、画面上の文字が表示されるべき部分に番組に関連して抽出された語句の文字が表示される。
【００３９】
以上詳述した如く、本発明においては、ＲＳＳのフォーマットで記述されたウェブページのメタデータを通信ネットワークに接続されたウェブサーバ装置３，３，…から取得しておき、放送された番組の属性情報に関係するウェブページのタイトル又は要約等の語句をメタデータから抽出し、放送信号に基づいた画像と共に語句の情報を文字で出力する。番組の属性情報に関係する語句を抽出して出力するので、放送中の番組の画像に関係した内容の文字情報を出力することができる。従って、画像出力装置１が出力する画像及び文字情報を視聴する視聴者は、画像と文字情報とが互いに関連しているので、文字情報の内容を容易に認識することが可能となる。また画像と共に出力する語句は、通信ネットワーク経由で種々のウェブサーバ装置３から取得するので、放送局等が放送した内容に限られない広範な内容の文字情報を出力することが可能となる。
【００４０】
なお、本実施の形態においては、本発明の画像出力装置１はテレビジョン受像機である形態を示したが、これに限るものではなく、本発明の画像出力装置は、有線放送のセットトップボックス、デジタル放送のチューナ装置又はチューナを備えた録画装置等、外部のディスプレイ装置に画像を表示させる装置であってもよい。また本実施の形態においては、ＲＳＳサーバ装置２が通信ネットワークＮを介して取得したウェブページのメタデータを画像出力装置１が取り込む形態を示したが、本発明の画像出力装置は、ＲＳＳサーバ装置２を介さずにウェブページのメタデータを取得する形態であってもよい。
【００４１】
図５は、本発明の画像出力装置の他の内部構成例を示すブロック図である。画像出力装置４は、テレビジョン受像機等のディスプレイ装置５に接続され、画像信号を出力してディスプレイ装置５に画像を表示させるセットトップボックス又はチューナ装置等である。ＡＶデコーダ１０３には、ディスプレイ装置５へ音声信号を出力する音声出力部４２と、ディスプレイ装置５へ画像信号を出力する画像出力部４３とが接続されている。ＯＳＤ処理部１０９は、ディスプレイ装置５に表示させるべき画像に語句の文字を重畳させる処理を行う。ＲＳＳリーダ４１は、特定のウェブサーバ装置３，３，…のアドレスを設定してあり、ネットワーク通信部１１２を用いてウェブサーバ装置３，３，…へ通信ネットワークＮを介して定期的にアクセスし、アクセスしたウェブサーバ装置３，３，…からウェブページのメタデータを取得する処理を行う。記憶部１１０はＲＳＳリーダ４１が取得したメタデータを記憶する。画像出力装置４のその他の構成は図１に示した構成と同様であり、対応する部分に同符号を付してその説明を省略する。この構成の画像出力装置４は、ＲＳＳサーバ装置２を必要とすることなく、直接にウェブページのメタデータを取得して前述と同様の効果を挙げることが可能である。
【００４２】
また本実施の形態においては、本発明の画像出力装置１は、デジタル放送のＴＳパケットから番組の属性情報を分離することによって属性情報を取得する形態を示したが、これに限るものではなく、番組の放送信号とは別チャンネルで番組の属性情報を受信する方法、又は放送信号とは別に通信ネットワークＮ経由で番組の属性情報を取得する方法等、その他の方法で属性情報を取得する形態であってもよい。
【００４３】
また本実施の形態においては、ウェブページのメタデータとしてＲＳＳのフォーマットで記述されたメタデータを扱う例を示したが、これに限るものではなく、本発明はＡｔｏｍ等のＲＳＳ以外のフォーマットで記述されたメタデータを利用して本発明の情報出力方法を実現する形態であってもよい。
【図面の簡単な説明】
【００４４】
【図１】本発明の情報出力システムの構成、及び本発明の画像出力装置の内部構成を示すブロック図である。
【図２】ＲＳＳサーバ装置が取得するメタデータの例を示す概念図である。
【図３】本発明の画像出力装置が放送信号に基づいた画像を出力する際に行う処理の手順を示すフローチャートである。
【図４】画像出力装置が画像と共に出力した文字情報の例を示す模式図である。
【図５】本発明の画像出力装置の他の内部構成例を示すブロック図である。
【符号の説明】
【００４５】
１、４  画像出力装置
１０１  放送受信部
１０２  ＴＳデコーダ
１０６  画像処理部
１０７  ディスプレイ
１０８  データ処理部
１０９  ＯＳＤ処理部
１１０  記憶部
１１１  ＲＳＳリーダ
１１２  ネットワーク通信部
２  ＲＳＳサーバ装置（記憶装置）
３  ウェブサーバ装置
５  ディスプレイ装置
Ｎ  通信ネットワーク
【図１】
2007028438.tif 000003
【図２】
2007028438.tif 000004
【図３】
2007028438.tif 000005
【図４】
2007028438.tif 000006
【図５】
2007028438.tif 000007